(57)【要約】【課題】シンク機器の一つの外部機器接続部に複数のソース機器を接続することができ、それらソース機器の切り替えにおいて利便性に優れたソース機器を提供する。【解決手段】ソース機器１はコンテンツをテレビジョン受信機１０１に提供するソース機器であって、制御部６と、テレビジョン受信機１０１が電気的に接続される第一接続部１０と、ソース機器１とは異なる他のソース機器が電気的に接続される少なくとも一つの第二接続部１１と、テレビジョン受信機１０１からの指令を第一接続部１０から制御部６に伝送する制御信号線１４と、ソース機器１及び少なくとも一つの他のソース機器の中からコンテンツの提供元を択一的に選択するスイッチ部１３と、を備える。制御部６が、テレビジョン受信機１０１からの指令に基づいてスイッチ部１３を制御する。【選択図】図２
2015023384.tif 000002
【特許請求の範囲】
【請求項１】
コンテンツをシンク機器に提供するソース機器であって、
制御部と、
シンク機器が電気的に接続される第一接続部と、
前記ソース機器とは異なる他のソース機器が電気的に接続される少なくとも一つの第二接続部と、
前記シンク機器からの指令を前記第一接続部から前記制御部に伝送する制御信号線と、
前記ソース機器及び少なくとも一つの前記他のソース機器の中からコンテンツの提供元を択一的に選択するスイッチ部と、
を備え、
前記制御部が、前記指令に基づいて前記スイッチ部を制御することを特徴とするソース機器。
【請求項２】
前記シンク機器からの電源電圧を前記第一接続部から前記制御部に供給する電源電圧線と、
前記シンク機器からのグランド電圧を前記第一接続部から前記制御部に供給するグランド電圧線と、
を備えることを特徴とする請求項１に記載のソース機器。
【請求項３】
前記スイッチ部は、少なくとも一つの前記他のソース機器の中からコンテンツの提供元を択一的に選択する場合、選択した前記他のソース機器に前記シンク機器からの電源電圧及びグランド電圧を供給することを特徴とする請求項２に記載のソース機器。
【請求項４】
前記制御部は、前記ソース機器が前記ソース機器及び少なくとも一つの前記他のソース機器の中からコンテンツの提供元を択一的に選択する機能を有することを、前記第一接続部を介して前記シンク機器に通知することを特徴とする請求項１〜請求項３のいずれか１項に記載のソース機器。
【請求項５】
前記他のソース機器が前記第二接続部に接続されると、前記他のソース機器が前記第二接続部に接続されたことが、前記第一接続部を介して前記シンク機器に通知されることを特徴とする請求項１〜請求項４のいずれか１項に記載のソース機器。
【請求項６】
前記他のソース機器が前記第二接続部に接続されると、前記第二接続部に接続された前記他のソース機器の名称に関する情報が、前記第一接続部を介して前記シンク機器に通知されることを特徴とする請求項１〜請求項５のいずれか１項に記載のソース機器。
【請求項７】
請求項１〜請求項６のいずれか１項に記載のソース機器と、
前記ソース機器の前記第一接続部に電気的に接続される前記シンク機器と、
を備えることを特徴とする通信システム。
【発明の詳細な説明】
【技術分野】
【０００１】
本発明はソース機器及び通信システムに関する。
【背景技術】
【０００２】
テレビジョン受信機やモニタなどのシンク（Sink）機器とスマートフォンといった携帯機器などのソース（Source）機器との間で通信を行うためにＭＨＬ（Mobile High-definition Link）と呼ばれるインタフェース規格が存在する。ＭＨＬ規格に対応したソース機器との接続部を備える従来の電子機器が例えば特許文献１に開示されている。
【０００３】
特許文献１に記載された従来の電子機器（シンク機器）はＭＨＬ規格に対応した複数の入力ポート（外部機器接続部）を備えている。そして、複数の入力ポート各々には個別にＭＨＬ規格に対応した携帯端末等のソース機器を接続できるようになっている。
【先行技術文献】
【特許文献】
【０００４】
【特許文献１】特開２０１１−２２９１１０号公報
【発明の概要】
【発明が解決しようとする課題】
【０００５】
例えばＭＨＬ規格によれば、特許文献１に記載された電子機器（例えばテレビジョン受信機）のように、一つの外部機器接続部に複数のソース機器を接続することができない。これにより、テレビジョン受信機の一つの外部機器接続部に現在接続されているソース機器とは別のソース機器を接続しようとする場合、ソース機器を抜き差しする必要があり利便性が損なわれる。さらに、テレビジョン受信機がそれら複数のソース機器に対して電力供給する場合、抜き差しする度に電力供給が断たれることになり度々再起動を要する。
【０００６】
本発明は、上記の点に鑑みなされたものであり、シンク機器の一つの外部機器接続部に複数のソース機器を接続することができ、それらソース機器の切り替えにおいて利便性に優れたソース機器及び通信システムを提供することを目的とする。
【課題を解決するための手段】
【０００７】
上記の課題を解決するため、本発明はコンテンツをシンク機器に提供するソース機器であって、制御部と、シンク機器が電気的に接続される第一接続部と、前記ソース機器とは異なる他のソース機器が電気的に接続される少なくとも一つの第二接続部と、前記シンク機器からの指令を前記第一接続部から前記制御部に伝送する制御信号線と、前記ソース機器及び少なくとも一つの前記他のソース機器の中からコンテンツの提供元を択一的に選択するスイッチ部と、を備え、前記制御部が、前記指令に基づいて前記スイッチ部を制御することを特徴としている。
【０００８】
この構成によれば、ソース機器はシンク機器から受け付けた指令に基づいてシンク機器とソース機器との接続、或いはシンク機器とその他のソース機器との接続の切り替えを行う。すなわち、複数のソース機器の接続切り替えがシンク機器による操作で遂行される。したがって、接続の切り替えのためにソース機器にボタン等を設けたり、専用リモコンを設けたりする必要がない。さらに、接続の切り替えのためにそれら複数のソース機器を抜き差しする必要がなく、それらソース機器への電力供給が断たれることもない。
【０００９】
また、上記構成のソース機器において、前記シンク機器からの電源電圧を前記第一接続部から前記制御部に供給する電源電圧線と、前記シンク機器からのグランド電圧を前記第一接続部から前記制御部に供給するグランド電圧線と、を備えることを特徴としている。
【００１０】
この構成によれば、第一接続部にシンク機器が接続されると、自動的にソース機器に電力が供給される。したがって、ソース機器は第一接続部を介してシンク機器に接続するだけで、自身が有するコンテンツの提供に係る動作やスイッチ部の動作を制御することができる。
【００１１】
また、上記構成のソース機器において、前記スイッチ部は、少なくとも一つの前記他のソース機器の中からコンテンツの提供元を択一的に選択する場合、選択した前記他のソース機器に前記シンク機器からの電源電圧及びグランド電圧を供給することを特徴としている。
【００１２】
この構成によれば、スイッチ部を用いて他のソース機器がコンテンツの提供元として選択されると、他のソース機器に電力が供給される。したがって、他のソース機器からシンク機器に対してコンテンツの提供が行われる。
【００１３】
また、上記構成のソース機器において、前記制御部は、前記ソース機器が前記ソース機器及び少なくとも一つの前記他のソース機器の中からコンテンツの提供元を択一的に選択する機能を有することを、前記第一接続部を介して前記シンク機器に通知することを特徴としている。
【００１４】
この構成によれば、シンク機器は、ソース機器がソース機器及びその他のソース機器の中からコンテンツの提供元を択一的に選択する機能を有することを認識する。したがって、シンク機器は、シンク機器とソース機器との接続と、シンク機器とその他のソース機器との接続と、の切り替えを行う指令をソース機器に対して送信することができる。
【００１５】
また、上記構成のソース機器において、前記他のソース機器が前記第二接続部に接続されると、前記他のソース機器が前記第二接続部に接続されたことが、前記第一接続部を介して前記シンク機器に通知されることを特徴としている。
【００１６】
この構成によれば、シンク機器の表示部、例えばテレビジョン受信機のモニタに、テレビジョン受信機の一つの外部機器接続部に対して複数のソース機器が接続されていることが表示される。したがって、ユーザーはテレビジョン受信機の一つの外部機器接続部に対して複数のソース機器の中から択一的に選択可能であることを容易に視認できる。その結果、ソース機器の選択を間違えるトラブルが減少する。
【００１７】
また、上記構成のソース機器において、前記他のソース機器が前記第二接続部に接続されると、前記第二接続部に接続された前記他のソース機器の名称に関する情報が、前記第一接続部を介して前記シンク機器に通知されることを特徴としている。
【００１８】
この構成によれば、シンク機器、例えばテレビジョン受信機の外部機器接続部にどのようなソース機器が接続されているかが明確になる。したがって、ユーザーは利用したいソース機器を間違えることなく選択することができる。
【００１９】
また、本発明は通信システムが、上記構成のソース機器と、前記ソース機器の前記第一接続部に電気的に接続される前記シンク機器と、を備えることを特徴としている。
【００２０】
この構成によれば、通信システムは、ソース機器がシンク機器から受け付けた指令に基づいてシンク機器とソース機器との接続、或いはシンク機器とその他のソース機器との接続の切り替えを行う。したがって、通信システムにおいて、接続の切り替えのためにソース機器にボタン等を設けたり、専用リモコンを設けたりする必要がない。さらに、接続の切り替えのためにそれら複数のソース機器を抜き差しする必要がなく、ソース機器への電力供給が断たれることもない。
【発明の効果】
【００２１】
本発明の構成によれば、シンク機器の一つの外部機器接続部に複数のソース機器を接続することができ、それらソース機器の切り替えにおいて利便性に優れたソース機器及び通信システムを提供することができる。
【図面の簡単な説明】
【００２２】
【図１】本発明の第１実施形態の通信システムの構成図である。
【図２】本発明の第１実施形態の通信システムのソース機器の構成図である。
【図３】本発明の第１実施形態の通信システムのテレビジョン受信機の画面表示例を説明するための説明図である。
【図４】本発明の第１実施形態の通信システムのテレビジョン受信機の画面表示例を説明するための説明図である。
【図５】本発明の第２実施形態の通信システムのテレビジョン受信機の画面表示例を説明するための説明図である。
【図６】本発明の第３実施形態の通信システムのテレビジョン受信機の画面表示例を説明するための説明図である。
【発明を実施するための形態】
【００２３】
以下、本発明の実施形態を図１〜図６に基づき説明する。
【００２４】
最初に、本発明の第１実施形態の通信システムについて、図１を用いてその構成を説明する。図１は通信システムの構成図である。
【００２５】
通信システムＳは、図１に示すようにソース機器１及びテレビジョン受信機１０１を備える。
【００２６】
ソース機器１は、例えば無線によりインターネットを介して映像や音声で構成されるコンテンツを取得し、シンク機器であるテレビジョン受信機１０１に提供する電子機器である。すなわち、ソース機器１の主たる利用目的は映像や音声で構成されるコンテンツのテレビジョン受信機１０１への提供であり、その提供を実現するためのソース機器１の主機能がコンテンツの取得及び適正なコンテンツ信号への変換である。
【００２７】
なお、本実施形態では主機能がコンテンツ取得及びその信号変換であるソース機器１を一例として用いて説明するが、ソース機器１の主機能がコンテンツ取得及びその信号変換に限定されるわけではなく、他の機能を主機能とする電子機器であっても良い。
【００２８】
テレビジョン受信機１０１はモニタ１０２やスピーカ１０３、不図示の制御部を備え、テレビジョン放送の視聴が可能である。テレビジョン放送のチャンネル選局や音量調整などはリモコン１０４の操作により行うことができる。さらに、テレビジョン受信機１０１は外部入力コネクタ１０５を含む複数の外部機器接続部を備える。なお、図１では複数の外部機器接続部のうち外部入力コネクタ１０５のみ一例として描画している。
【００２９】
外部入力コネクタ１０５はＨＤＭＩ（登録商標）（High-Definition Multimedia Interface）規格に対応したコネクタである。ＨＤＭＩコネクタは表１に記載した１９個の端子を有し、対応するＨＤＭＩケーブルやＭＨＬケーブルが電気的に接続できる。表１はＨＤＭＩコネクタに関する各端子機能やその配列について示している。ＭＨＬケーブルはＨＤＭＩコネクタの１９個の端子に関して、対応する信号線のうち必要な信号線を選択してＭＨＬコネクタの５個の端子に変換する。なお、ＨＤＭＩコネクタにはＨＤＭＩ規格やＭＨＬ規格に対応したソース機器を直付けすることも可能である。
【００３０】
【表１】
2015023384.tif 000003
【００３１】
続いて、ソース機器１の構成について、図２を用いて詳細に説明する。図２はソース機器１の構成図である。
【００３２】
ソース機器１は、図２に示すように無線部２、アンテナ３、映像処理部４、音声処理部５、制御部６、中央処理部７、クロック部８、記憶部９、第一接続部１０、第二接続部１１、ＭＨＬロジック部１２、スイッチ部１３、制御信号線１４、電源電圧線１５及びグランド電圧線１６を備える。
【００３３】
無線部２は例えばコンテンツの提供先から発信されるコンテンツに係る映像や音声からなる信号を、アンテナ３を介して受信する。無線部２が受信したコンテンツ信号は映像処理部４及び音声処理部５に入力される。
【００３４】
映像処理部４は受信したコンテンツ信号からテレビジョン受信機１０１で再生可能な映像信号を生成する。音声処理部５は受信したコンテンツ信号からテレビジョン受信機１０１で再生可能な音声信号を生成する。
【００３５】
制御部６は中央処理部７やその他の電子部品で構成され、クロック部８で生成されるクロック信号に基づいて動作する。制御部６は記憶部９等に記憶、入力されたプログラム、データに基づきソース機器１の各構成要素の動作を制御し、テレビジョン受信機１０１に提供するコンテンツの取得及び適正なコンテンツ信号への変換に係る処理を実現する。
【００３６】
第一接続部１０は例えばＨＤＭＩコネクタからなる。第一接続部１０はシンク機器であるテレビジョン受信機１０１の外部入力コネクタ１０５に直接電気的に接続される（図１参照）。なお、第一接続部１０と外部入力コネクタ１０５との間を、ＨＤＭＩケーブルを介して接続しても良い。
【００３７】
第二接続部１１は例えばＵＳＢコネクタからなり、ＭＨＬ規格で流用される。第二接続部１１にはソース機器１とは異なる不図示の他のソース機器が電気的に接続される。なお、第二接続部１１は２箇所以上の複数を設けても構わない。
【００３８】
ＭＨＬロジック部１２及びスイッチ部１３は第一接続部１０と制御部６との間に設けられる。第一接続部１０、ＭＨＬロジック部１２、スイッチ部１３、制御部６の順に配列さて電気的に接続される。第二接続部１１はスイッチ部１３に直接電気的に接続される。
【００３９】
そして、制御信号線１４がＭＨＬロジック部１２及びスイッチ部１３を経由する信号線とは別の信号線として第一接続部１０と制御部６との間を電気的に接続する。また、電源電圧線１５及びグランド電圧線１６が第一接続部１０と制御部６との間を電気的に接続するとともに、その間で分岐してＭＨＬロジック部１２及びスイッチ部１３を経由する。電源電圧線１５はテレビジョン受信機１０１からの電源電圧を第一接続部１０から制御部６に供給する。グランド電圧線１６はテレビジョン受信機１０１からのグランド電圧を第一接続部１０から制御部６に供給する。
【００４０】
ＭＨＬロジック部１２は第一接続部１０のＨＤＭＩコネクタを構成する１９本の信号線うち制御信号線１４を除き、電源電圧線１５及びグランド電圧線１６を含む１８本の信号線をＭＨＬコネクタに対応する５本の信号線に変換する。制御信号線１４は第一接続部１０のＨＤＭＩコネクタの１３番端子（表１参照）に接続される。制御信号線１４はＣＥＣ（Consumer Electronics Control）制御信号によるテレビジョン受信機１０１からの指令を制御部６に伝送する際に利用される。
【００４１】
スイッチ部１３はＭＨＬロジック部１２により変換された５本の信号線の、制御部６或いは第二接続部１１のいずれかとの電気的接続の切り替えが可能であり、コンテンツの提供元を択一的に選択する。スイッチ部１３は、第二接続部１１に接続された他のソース機器をコンテンツの提供元として選択した場合、選択した他のソース機器にもテレビジョン受信機１０１からの電源電圧及びグランド電圧を供給する。
【００４２】
スイッチ部１３の動作は制御部６が制御する。なお、スイッチ部１３が第一接続部１０と第二接続部１１とを接続していない状態で第二接続部１１に他のソース機器が接続された場合、第二接続部１１及び不図示の信号線を介して制御部６と他のソース機器とが通信を行い、制御部６が第二接続部１１に他のソース機器が接続されたことを認識する。
【００４３】
続いて、通信システムＳの動作について、図３及び図４を用いて説明する。図３及び図４は通信システムＳのテレビジョン受信機１０１の画面表示例を説明するための説明図である。
【００４４】
図３はテレビジョン受信機１０１のモニタ１０２に通常のソースリストを表示した状態を示している。ここで、図３のＨＤＭＩ３と称される外部入力コネクタ１０５（図１参照）にソース機器１を接続するものとする。
【００４５】
外部入力コネクタ１０５にソース機器１を接続すると、テレビジョン受信機１０１はソース機器１が外部入力コネクタ１０５に接続されたことを認識する。ソース機器１はテレビジョン受信機１０１固有の性能に係る情報であるＥＤＩＤ (Extended display identification data)をテレビジョン受信機１０１から取得する。ソース機器１はこのＥＤＩＤからＣＥＣ（ＨＤＭＩの通信機能）やＭＳＣ  ｃｏｍｍａｎｄ（ＭＨＬの通信機能）に係る情報を得る。
【００４６】
そして、ソース機器１はＣＢＵＳを利用してスイッチ部１３によるソース機器の切り替え機能があることをテレビジョン受信機１０１に通知する。これを受けたテレビジョン受信機１０１は、図４に示すようにＨＤＭＩ３と称される外部入力コネクタ１０５に関して、第一接続部１０、すなわちソース機器１自体に対応するＨＤＭＩ３−１と、第二接続部１１に対応するＨＤＭＩ３−２との２つの接続部が存在することをモニタ１０２に表示する。
【００４７】
ユーザーがリモコン１０４などを操作してテレビジョン受信機１０１に対するソースとしてＨＤＭＩ３−１或いはＨＤＭＩ３−２を選択すると、制御部６は制御信号線１４を介してテレビジョン受信機１０１から受け付けた指令に基づいてスイッチ部１３の接続切り替えを制御する。
【００４８】
上記のように、ソース機器１はコンテンツをテレビジョン受信機１０１に提供するソース機器であって、制御部６と、テレビジョン受信機１０１が電気的に接続される第一接続部１０と、ソース機器１とは異なる他のソース機器が電気的に接続される少なくとも一つの第二接続部１１と、テレビジョン受信機１０１からの指令を第一接続部１０から制御部６に伝送する制御信号線１４と、ソース機器１及び少なくとも一つの他のソース機器の中からコンテンツの提供元を択一的に選択するスイッチ部１３と、を備える。そして、制御部６が、テレビジョン受信機１０１からの指令に基づいてスイッチ部１３を制御する。これにより、複数のソース機器の接続切り替えがテレビジョン受信機１０１による操作で遂行される。したがって、接続の切り替えのためにソース機器１にボタン等を設けたり、専用リモコンを設けたりする必要がない。さらに、接続の切り替えのためにそれら複数のソース機器を抜き差しする必要がなく、それらソース機器への電力供給が断たれることもない。
【００４９】
また、ソース機器１は、テレビジョン受信機１０１からの電源電圧を第一接続部１０から制御部６に供給する電源電圧線１５と、テレビジョン受信機１０１からのグランド電圧を第一接続部１０から制御部６に供給するグランド電圧線１６と、を備える。これにより、第一接続部１０にテレビジョン受信機１０１が接続されると、自動的にソース機器１に電力が供給される。したがって、ソース機器１は第一接続部１０を介してテレビジョン受信機１０１に接続するだけで、自身が有するコンテンツの提供に係る動作やスイッチ部１３の動作を制御することができる。
【００５０】
また、スイッチ部１３は、少なくとも一つの他のソース機器の中からコンテンツの提供元を択一的に選択する場合、選択した他のソース機器にテレビジョン受信機１０１からの電源電圧及びグランド電圧を供給する。これにより、スイッチ部１３を用いて他のソース機器がコンテンツの提供元として選択されると、他のソース機器に電力が供給される。したがって、他のソース機器からテレビジョン受信機１０１に対してコンテンツを提供させることが可能である。
【００５１】
また、制御部６は、ソース機器１がソース機器１及び少なくとも一つの他のソース機器の中からコンテンツの提供元を択一的に選択する機能を有することを、第一接続部１０を介してテレビジョン受信機１０１に通知する。これにより、テレビジョン受信機１０１は、ソース機器１がソース機器１及びその他のソース機器の中からコンテンツの提供元を択一的に選択する機能を有することを認識する。したがって、テレビジョン受信機１０１は、テレビジョン受信機１０１とソース機器１との接続と、テレビジョン受信機１０１とその他のソース機器との接続と、の切り替えを行う指令をソース機器１に対して送信することができる。
【００５２】
次に、本発明の第２実施形態の通信システムについて、図５を用いて説明する。図５は通信システムのテレビジョン受信機の画面表示例を説明するための説明図である。なお、この実施形態の基本的な構成は図１〜図４を用いて説明した前記第１実施形態と同じであるので、第１実施形態と共通する構成要素には前と同じ符号を付し、図面の記載及びその説明を省略するものとする。また以下、ソース機器１自体の名称を「ＭＨＬ１」とし、第二接続部１１に接続された他のソース機器の名称を「ＭＨＬ２」として説明する。
【００５３】
第２実施形態の通信システムＳは、図５に示すようにテレビジョン受信機１０１のＨＤＭＩ３（外部入力コネクタ１０５）に関して、ＨＤＭＩ３−１（第一接続部１０）に対応するソース機器１自体の名称である「ＭＨＬ１」と、ＨＤＭＩ３−２（第二接続部１１）に対応する他のソース機器の名称である「ＭＨＬ２」と、をモニタ１０２に表示させる。
【００５４】
この構成によれば、テレビジョン受信機１０１の外部入力コネクタ１０５にどのようなソース機器が接続されているかを明確にすることが可能である。したがって、ユーザーは利用したいソース機器を間違えることなく選択することができる。
【００５５】
なお、この実施形態において第二接続部１１に他のソース機器が接続されていない場合、他のソース機器の名称はモニタ１０２に表示されないが、第二接続部１１に対応するＨＤＭＩ３−２が存在することはモニタ１０２に表示される。
【００５６】
次に、本発明の第３実施形態の通信システムについて、図６を用いて説明する。図６は通信システムのテレビジョン受信機の画面表示例を説明するための説明図である。なお、この実施形態の基本的な構成は図１〜図４を用いて説明した前記第１実施形態と同じであるので、第１実施形態と共通する構成要素には前と同じ符号を付し、図面の記載及びその説明を省略するものとする。
【００５７】
第３実施形態の通信システムＳはソース機器１の第二接続部１１に他のソース機器が接続されていない場合、図６に示すように第二接続部１１に対応するＨＤＭＩ３−２をモニタ１０２に表示させない。第一接続部１０に対応するＨＤＭＩ３−１と第二接続部１１に対応するＨＤＭＩ３−２のうち、第一接続部１０、すなわちソース機器１自体に対応するＨＤＭＩ３−１が存在することがモニタ１０２に表示される。これにより、テレビジョン受信機１０１のＨＤＭＩ３（外部入力コネクタ１０５）に関して、ＨＤＭＩ３−１とＨＤＭＩ３−２とのうち、ソースとして利用可能な機器のみがモニタ１０２に表示される。したがって、ユーザーがソース機器の選択を間違えるトラブルを減少させることが可能である。
【００５８】
ここで、ソース機器１の第二接続部１１に他のソース機器を接続すると、スイッチ部１３が第一接続部１０と第二接続部１１とを接続していないため、ソース機器１は他のソース機器をＵＳＢ機器として認識する。続いて、ソース機器１と他のソース機器との通信が開始するので、ソース機器１は他のソース機器がＭＨＬに対応していることを認識する。
【００５９】
ソース機器１はＭＨＬに対応した他のソース機器が第二接続部１１に接続されたことを、制御信号線１４を介してテレビジョン受信機１０１に通知する。これを受けたテレビジョン受信機１０１は、図５に示すようにＨＤＭＩ３（外部入力コネクタ１０５）に関して、第一接続部１０、すなわちソース機器１自体に対応するＨＤＭＩ３−１と、第二接続部１１に接続された他のソース機器に対応するＨＤＭＩ３−２との２つの接続部が存在することをモニタ１０２に表示する。
【００６０】
この構成によれば、テレビジョン受信機１０１のモニタ１０２に、ＨＤＭＩ３（外部入力コネクタ１０５）に対してソース機器１とその他のソース機器との複数のソース機器が接続されていることが表示される。したがって、ユーザーはテレビジョン受信機１０１のＨＤＭＩ３（外部入力コネクタ１０５）に対して複数のソース機器の中から択一的に選択可能であることを容易に視認できる。その結果、ソース機器の選択を間違えるトラブルが減少する。
【００６１】
以上、本発明の実施形態につき説明したが、本発明の範囲はこれに限定されるものではなく、発明の主旨を逸脱しない範囲で種々の変更を加えて実施することができる。
【産業上の利用可能性】
【００６２】
本発明はソース機器及び通信システムにおいて利用可能である。
【符号の説明】
【００６３】
１    ソース機器
６    制御部
１０    第一接続部
１１    第二接続部
１３    スイッチ部
１４    制御信号線
１５    電源電圧線
１６    グランド電圧線
１０１    テレビジョン受信機（シンク機器）
１０２    モニタ
１０５    外部入力コネクタ（外部機器接続部）
Ｓ    通信システム
【図１】
2015023384.tif 000004
【図２】
2015023384.tif 000005
【図３】
2015023384.tif 000006
【図４】
2015023384.tif 000007
【図５】
2015023384.tif 000008
【図６】
2015023384.tif 000009